(57)【要約】【課題】足場の組立て・分解を簡単に行い得る内型枠構造を提供する。【解決手段】外型枠１００の内側に配されて、外型枠１００との間でコンクリート製構造物を作製するための内型枠構造１において、内型枠２に設けた開閉窓と、外型枠１００と内型枠２との間に設ける上記コンクリート製構造物用の鉄筋を形成するための足場用に用いられ、上記開閉窓より内側の収納位置Ａと上記開閉窓より少なくとも先端部が外側に突出する使用位置Ｂとにわたり移動可能に設けられた足場形成部材１０とを具備する。【選択図】図１
2007092310.tif 000002
【特許請求の範囲】
【請求項１】
外型枠の内側に配されて、該外型枠との間でコンクリート製構造物を作製するための内型枠構造において、
内型枠に設けた開閉窓と、
外型枠と内型枠との間に設ける上記コンクリート製構造物用の鉄筋を形成するための足場用に用いられ、上記開閉窓より内側の収納位置と上記開閉窓より少なくとも先端部が外側に突出する使用位置とにわたり移動可能に設けられた足場形成部材とを具備することを特徴とする内型枠構造。
【請求項２】
請求項１に記載の内型枠構造において、
前記足場形成部材が、同一高さ位置で水平方向に多数設けられていることを特徴とする内型枠構造。
【請求項３】
請求項２に記載の内型枠構造において、
前記足場形成部材が、複数の高さ位置で設けられていることを特徴とする内型枠構造。
【請求項４】
請求項１乃至３のいずれかに記載の内型枠構造において、
前記内型枠を支持する骨格構造体を内型枠の内側に有し、該骨格構造体に取付けられた支持部材により前記足場形成部材の基端側がスライド可能に支持されていることを特徴とする内型枠構造。
【請求項５】
請求項４に記載の内型枠構造において、
前記足場形成部材の基端に、前記支持部材から抜けるのを防止するための抜止部材が設けられていることを特徴とする内型枠構造。
【請求項６】
請求項１乃至５のいずれかに記載の内型枠構造において、
前記足場形成部材の先端に、門状をした手摺りの隣り合うものどうしの各両下端の片方が着脱可能に取付けられる手摺り取付部材が設けられていることを特徴とする内型枠構造。
【発明の詳細な説明】
【技術分野】
【０００１】
本発明は、外型枠の内側に配されて、その外型枠との間でコンクリート製構造物を作製するための内型枠構造に関し、より詳細には、例えばトンネルなどの断面形状が長さ方向でほぼ同一のコンクリート製構造物の作製に好適な内型枠構造に関する。
【背景技術】
【０００２】
上述した内型枠構造は、従来多数のパネル板を連結する構成のものが一般的である（例えば特許文献１参照）。そして、このような構成の内型枠構造と外型枠との間で作製されるコンクリート製構造物の内部には、鉄筋が設けられる。
【０００３】
上記鉄筋は、外型枠と内型枠との隙間が広いときには、その隙間に足場を組立て、足場を利用して作製される。一方、前記隙間が狭いときには、一般的に、外型枠の形成前に内型枠の外側に足場を組立て、その足場を利用して作製される。そして、鉄筋を作製した後で、足場は分解される。
【特許文献１】特開２００５−１２６９１８号
【発明の開示】
【発明が解決しようとする課題】
【０００４】
ところで、足場の組立ては、通常、多数の金属パイプを縦横に連結して足場本体部を形成し、その足場本体部の適当な箇所に踏み板や手摺りを取付けることで行われる。
【０００５】
しかしながら、上述したトンネルなどのコンクリート製構造物をその全長分につき一遍に作製するのではなく、部分部分を連結しつつ作製する場合には、内型枠および外型枠を移動させるとともに、足場もその移動の都度、組立ておよび分解をする必要があり、足場の組立て・分解は大変に面倒な作業となっていた。
【０００６】
本発明は、このように従来技術の課題を解決するためになされたものであり、足場の組立て・分解を簡単に行い得る内型枠構造を提供することを目的とする。
【課題を解決するための手段】
【０００７】
本発明の請求項１に係る内型枠構造は、外型枠の内側に配されて、該外型枠との間でコンクリート製構造物を作製するための内型枠構造において、内型枠に設けた開閉窓と、外型枠と内型枠との間に設ける上記コンクリート製構造物用の鉄筋を形成するための足場用に用いられ、上記開閉窓より内側の収納位置と上記開閉窓より少なくとも先端部が外側に突出する使用位置とにわたり移動可能に設けられた足場形成部材とを具備することを特徴とする。
【０００８】
本発明の請求項２に係る内型枠構造は、請求項１に記載の内型枠構造において、前記足場形成部材が、同一高さ位置で水平方向に多数設けられていることを特徴とする。
【０００９】
本発明の請求項３に係る内型枠構造は、請求項２に記載の内型枠構造において、前記足場形成部材が、複数の高さ位置で設けられていることを特徴とする。
【００１０】
本発明の請求項４に係る内型枠構造は、請求項１乃至３のいずれかに記載の内型枠構造において、前記内型枠を支持する骨格構造体を内型枠の内側に有し、該骨格構造体に取付けられた支持部材により前記足場形成部材の基端側がスライド可能に支持されていることを特徴とする。
【００１１】
本発明の請求項５に係る内型枠構造は、請求項４に記載の内型枠構造において、前記足場形成部材の基端に、前記支持部材から抜けるのを防止するための抜止部材が設けられていることを特徴とする。
【００１２】
本発明の請求項６に係る内型枠構造は、請求項１乃至５のいずれかに記載の内型枠構造において、前記足場形成部材の先端に、門状をした手摺りの隣り合うものどうしの各両下端の片方が着脱可能に取付けられる手摺り取付部材が設けられていることを特徴とする。
【発明の効果】
【００１３】
本発明の内型枠構造による場合には、内型枠の内側の収納位置に収納された足場形成部材が、開閉窓をあけることによりその開閉窓から少なくとも先端部を突出させることができ、その足場形成部材の突出部分に、例えば踏み板や手摺りを取付けることで足場が形成される。そして、その足場を利用して鉄筋の作製が行われる。また、鉄筋作製後は、上記踏み板や手摺りを取外して足場形成部材を収納位置に移動させて開閉窓を閉めることで、内型枠本来としての使用が可能となる。よって、踏み板や手摺りの取付け・分解を必要とするものの、従来のような踏み板や手摺りを取付けるための足場本体部の連結および分解が不要になるため、足場の組立て・分解を簡単に行い得る。
【００１４】
請求項２による場合には、足場を同一高さ位置で内型枠の長手方向に沿って配置させることが容易になる。
【００１５】
請求項３による場合には、足場を高さ方向に位置をずらして形成することが容易になる。
【００１６】
請求項４による場合には、足場形成部材をスライドさせることで収納位置と使用位置とにわたり変位させ得、取り扱いが容易になる。
【００１７】
請求項５による場合には、収納位置にある足場形成部材を、抜止部材が支持部材に当たって停止するまでスライドさせても抜止めされる。また、その抜止めされた位置で使用位置になる。
【００１８】
請求項６による場合には、手摺りの取付が簡単に行われる。
【発明を実施するための最良の形態】
【００１９】
以下に、本発明を具体的に説明する。
【００２０】
図１は本発明の一実施形態に係る内型枠構造を示す正面図で、図２はその内型枠構造を示す側面図である。なお、図１は、左半分には外型枠が外側にセパレータを介して所定距離だけ離隔された状態を表し、右半分には外型枠のない状態であって足場が形成された状態を表している。図１中の１０１は、外型枠１００の外側に予め設けられている足場であって内型枠用の足場とは別のものである。
【００２１】
この内型枠構造１は、外型枠１００の内側に配されて、外型枠１００との間でコンクリート製構造物を作製するためのものである。コンクリート製構造物としては、本実施形態ではアーチ状のものである。
【００２２】
上記内型枠構造１は、開閉窓３を有する内型枠２と、足場形成部材１０とを具備する。内型枠２は、本実施形態ではコンクリート製構造物の内面に応じたアーチ状のフレーム２ａの外側に、コンクリート製構造物の内面を形作るための多数のパネル２ｂを固定した構成のもので、その内側に設けた骨格構造体４によりフレーム２ａが支持されている。その骨格構造体４は、例えば形鋼などの金属片５を縦横及び斜めに連結して作製されている。
【００２３】
開閉窓３は、図２に示すように、内型枠２に、複数の高さ位置において水平方向に多数設けられている。本実施形態では、内型枠２の片面側において、縦５個×横８個で計４０個設けられている。なお、内型枠２のもう片面側も同様に開閉窓３が配置されている。
【００２４】
図３は開閉窓部分を内型枠の内側から見たときの正面図で、図４はその平面図であり、図５はその左側面図である。
【００２５】
開閉窓３は、内型枠２に設けた開口６と、その開口６を塞ぐ扉７とで構成され、扉７は内側に開け閉めできるようになっている。具体的には、開口６よりも扉７の方が若干大きく形成されていて、扉７の内側上部に設けた取手８を引くと、扉７の下部に設けたヒンジ９の回りを揺動して開き、逆に取手８を引き上げると、扉７が開口６を塞ぐようになっている。そして、図５に示すように、扉７を閉めた状態で、開口６の上側に設けた水平片６ａに形成した孔６ｂに楔状のロック片６ｃを上側から下向きに差込むことで、扉７を閉状態（二点鎖線にて示す）にロックできる。逆に、ロック片６ｃを上側へ引抜くと、扉７を開状態（一点鎖線にて示す）にすることが可能になる。
【００２６】
図６（ａ）は開閉窓の内側にもうけられた足場形成部材を示す正面図、同（ｂ）はその平面図である。
【００２７】
図６に示す足場形成部材１０は、各開閉窓３の内側にそれぞれ配置されていて、本実施形態では角パイプが用いられている。この足場形成部材１０に対し、本実施形態ではその上下位置に、スライド可能に支持する支持部材１１が２対設けられている。各対の支持部材１１の上下方向の間隔Ｈは、足場形成部材１０の高さ寸法にほぼ一致させてある。また、２対の支持部材１１の間隔Ｌは、後述する所望の重量に耐え得る適当な長さに設定されている。更に、各支持部材１１は、上記骨格構造体４に所定位置となるように固定されている。
【００２８】
よって、支持部材１１で支持された足場形成部材１０を内型枠２の内外方向にスライドさせることで、足場形成部材１０を開閉窓３の内側の収納位置Ａと、足場形成部材１０の先端部が開閉窓３の外側に突出する使用位置Ｂとにわたり移動させ得る。これにより取り扱い性が容易になっている。
【００２９】
また、足場形成部材１０の基端側には、抜止部材としてのボルト１２が取付けられている。よって、扉７を開けて、使用位置Ｂとすべく足場形成部材１０を開口６より引出すと、ボルト１２が内奥側の支持部材１１に当接して停止し、これにより抜止めされるとともにその停止により使用位置Ｂに容易にセットし得る。そして、使用位置Ｂの足場形成部材１０の開閉窓３よりも外側に突出した先端部に、踏み板および手摺りの取付けが可能になる。
【００３０】
一方、足場形成部材１０の先端側には手摺り取付部材１３が取付けられている。手摺り取付部材１３は、本実施形態では有底の丸パイプを用いていて、１つの足場形成部材１０に対して２つ設けられている。
【００３１】
図７は、足場形成部材に対する手摺りの取付け方を説明するための図である。図では、水平方向に並んだ同一高さの足場形成部材を対象としている。各足場形成部材１０にそれぞれ２つずつ設けられた手摺り取付部材１３の左側のものに、足場形成部材１０の左側に配置する手摺り１４の右側下端を差込み、右側の手摺り取付部材１３に、足場形成部材１０の右側に配置する手摺り１４の左側下端を差込むようにして、手摺り１４を簡単に取付けることが可能である。他の高さ位置の足場形成部材１０に対しても同様に手摺り１４が簡単に取付けられる。なお、手摺り１４としては、隣合う足場形成部材１０の間隔に対応した形状のものが用いられる。
【００３２】
更に、各足場形成部材１０に対し、コンクリート製構造物用の鉄筋を配置する部分（図１に示すように内型枠２の外側であって破線よりも内側の部分）Ｃを残し、踏み板１５が載置される（図１参照）。上記部分Ｃの箇所には、踏み板１５を利用してコンクリート製構造物用の鉄筋が作製される。なお、上述した間隔Ｌの設定は、内型枠２から遠い方（内奥側）の一対の支持部材１１に抜止部材としてのボルト１２が当接した状態で、内型枠２に近い方の一対の支持部材１１にて支持されている部分よりも外側に踏み板および手摺りが取付けられ、かつ踏み板上に作業者が載った状態での重量に耐え得る長さに設定される。
【００３３】
したがって、このように構成された本実施形態の内型枠構造１による場合には、内型枠２の内側の収納位置Ａに収納された足場形成部材１０が、開閉窓３をあけることによりその開閉窓３から先端側を突出させることができ、その足場形成部材１０の突出部分に、例えば踏み板１５や手摺り１４を取付けることで足場が形成される。そして、その足場を利用して鉄筋の作製が行われる。また、鉄筋作製後は、上記踏み板１５や手摺り１４を取外して足場形成部材１０を収納位置Ａに移動させて開閉窓３を閉めることで、内型枠本来としての使用が可能となる。よって、踏み板１５や手摺り１４の取付け・分解を必要とするものの、従来のような踏み板１５や手摺り１４を取付けるための足場本体部の連結および分解が不要になるため、足場の組立て・分解を簡単に行い得る。なお、踏み板１５や手摺り１４を取外した状態において、内型枠２の外側には前記外型枠１００が配設されると、内型枠２と外型枠１００との間隔はセパレータ１０２により調整される（図１参照）。
【００３４】
更に、本実施形態においては、足場形成部材１０が、同一高さ位置で水平方向に多数設けられているので、踏み板や手摺りを同一高さ位置で内型枠の長手方向に沿って配置させることが容易になる。加えて、足場形成部材１０が複数の高さ位置で設けられているので、足場を高さ方向に形成することが容易になる。
【００３５】
なお、上述した実施形態では足場形成部材として中空の角パイプを使用している例を示したが、本発明はこれに限らない。例えば、中実のものでもよく、また断面形状も角以外のものを用いてもよい。例えばＨ型やＩ型、或いは板状のもの、或いは断面が逆三角形状のものなどでもよい。更には、開閉窓の開口よりも小さく、その開口から出入れが可能な大きさのものでもよい。
【００３６】
また、上述した実施形態では足場形成部材を支持するために２対の支持部材を用いているが、本発明はこれに限らない。２対の支持部材に代えて、足場形成部材が内側に入り得る筒状のものを用いてもよい。その場合における筒状の支持部材の長さは、２対の支持部材の離隔長さに相当するように設定すれば、１つの筒状の支持部材で済む。
【００３７】
更に、上述した実施形態では開閉窓の扉を上下方向に開閉させる構成としているが、本発明はこれに限らず、上記扉を左右方向に開閉させる構成としてもよい。
【図面の簡単な説明】
【００３８】
【図１】本発明の一実施形態に係る内型枠構造を示す正面図である。
【図２】図１の内型枠構造を示す側面図である。
【図３】図２の開閉窓部分を内型枠の内側から見たときの正面図である。
【図４】図３の平面図である。
【図５】図３の左側面図である。
【図６】（ａ）は開閉窓の内側にもうけられた足場形成部材を示す正面図、（ｂ）はその平面図である。
【図７】足場形成部材に対する手摺りの取付け方を説明するための図である。
【符号の説明】
【００３９】
１    内型枠構造
２    内型枠
３    開閉窓
４    骨格構造体
１０    足場形成部材
１１    支持部材
１２    ボルト（抜止部材）
１３    手摺り取付部材
１４    手摺り
１００    外型枠
Ａ    収納位置
Ｂ    使用位置
【図１】
2007092310.tif 000003
【図２】
2007092310.tif 000004
【図３】
2007092310.tif 000005
【図４】
2007092310.tif 000006
【図５】
2007092310.tif 000007
【図６】
2007092310.tif 000008
【図７】
2007092310.tif 000009